(57)【特許請求の範囲】
【請求項１】
容器本体の上端開口部をシール密封する、アルミニウム箔を含まない積層体で、かつ外周縁に剥離用タブと開封用タブを有し、該両タブは中心より略９０°の位置に設けられている即席食品用容器の蓋材において、前記積層体は、複合シートと表面シートとが、中央に前記剥離用タブの基部の幅近傍の所定の領域に易剥離剤を塗布することにより形成された易剥離層による易剥離領域と該易剥離領域以外の接着領域とに区画されて互いに積層接着され、前記表面シートの易剥離領域と接着領域の境界線よりやや易剥離領域の両側にハーフカットによるミシン目もしくはそれと類似の切り目を刻設してなる（但し、易剥離領域において表面シートを剥離したとき、複合シートに孔が形成されるものを除く）ことを特徴とする即席食品用容器の蓋材。
【請求項２】
前記表面シートは紙層でなり、複合シートは内面側から少なくともシーラント層、基材フィルム層、接着熱可塑性樹脂層の順に積層されていることを特徴とする請求項１記載の即席食品用容器の蓋材。
【請求項３】
前記剥離用タブの基部の複合シートにハーフカットによる溝を刻設し、該刻設されたハーフカットによる溝が前記ミシン目もしくはそれと類似の切り目と交差していることを特徴とする請求項１または２記載の即席食品用容器の蓋材。
【発明の詳細な説明】
【０００１】
【発明の属する技術分野】
本発明は、上端に開口部を有し、かつ上端周縁にフランジ部を有する容器本体の、前記フランジ部のシール密封に適した紙を主体とした蓋材に関するものであり、特に即席麺等を収納し、熱湯を注いで食する容器の蓋材を構成するアルミニウム箔を含まない構成の蓋材に関する。
【０００２】
【従来の技術】
従来、例えば即席麺や即席スープ等を収納する容器で、上端に開口部を有し、かつ上端周縁にフランジ部を有する容器本体の前記フランジ部をシール等で密封する紙を主体とした蓋材として、紙層の下面にアルミニウム箔、シーラント層が積層されたものが知られている。この開封に際し、フランジ部にシールされている蓋材をその周縁のタブを持ち上げながら略中心部まで剥がすと、上記のようなアルミニウム箔を介在させた構成の蓋材は、剥がしたままの状態を維持できる性質（以下デッドホールド性という）を有する。この性質により、例えば即席ラーメンなどでは、剥がして半開きの状態のまま容易に熱湯を注ぐことができ、次いで一旦再封して麺を温めほぐし柔らかくする場合、蓋材を元に戻し、タブを容器本体のフランジ部に巻き付けるようにして止められる性質（以下再封性という）を有するものであった。この再封性として蓋材を元に戻すとカールなどせずに平坦になる性質であってもよい。
【０００３】
【発明が解決しようとする課題】
しかしながら、上記のようなアルミニウム箔が介在する構成の蓋材においては、使用後の焼却処理において、アルミニウム箔が炉中にインゴットとして絡みついて焼却炉を傷めたり、焼却効率を低下させたりする問題があった。また、その焼却灰の埋立処分において雨水等との反応による有害ガスの発生等の問題があった。
【０００４】
さらにまた、蓋材にアルミニウム箔の介在は、内容物が収容された容器中に金属系切り粉等の混入を検査する金属探知機の使用を不可能にしていて、このような金属探知機使用による検査法を可能とすることが要望されていた。
【０００５】
上記問題点と要望点を解決するための蓋材として、例えばアルミニウム箔を除いた紙層、シーラント層等で構成された積層材料を用いた場合、デッドホールド性がなく簡単に蓋が簡単に閉じてしまい、熱湯を注ぎ難くし、熱湯がこぼれ火傷などの危惧があった。また熱湯を注いだ後の再封に際し、熱等で蓋がカールして閉まらず、そのまま再封しにくいという問題点があった。
【０００６】
本発明は、かかる従来技術の問題点や要望点を解決するものであり、その課題とするところは、廃棄物に係わる環境問題の危惧がなく、かつ金属探知機による製品の検査を可能にするために、アルミニウム箔を用いない構成の積層体であっても、十分な開封状態（デッドホールド性）と再封性を有する即席食品用容器の蓋材を提供することにある。
【０００７】
【課題を解決するための手段】
本発明に於いて上記課題を達成するために、まず請求項１の発明では、容器本体の上端開口部をシール密封する、アルミニウム箔を含まない積層体で、かつ外周縁に剥離用タブと開封用タブを有し、該両タブは中心より略９０°の位置に設けられている即席食品用容器の蓋材において、前記積層体は、複合シートと表面シートとが、中央に前記剥離用タブの基部の幅近傍の所定の領域に易剥離剤を塗布することにより形成された易剥離層による易剥離領域と該易剥離領域以外の接着領域とに区画されて互いに積層接着され、前記表面シートの易剥離領域と接着領域の境界線よりやや易剥離領域の両側にハーフカットによるミシン目もしくはそれと類似の切り目を刻設してなることを特徴とする即席食品用容器の蓋材としたものである。
【０００８】
また、請求項２の発明では、前記表面シートは紙層でなり、複合シートは内面側から少なくともシーラント層、基材フィルム層、接着熱可塑性樹脂層の順に積層されていることを特徴とする請求項１記載の即席食品用容器の蓋材としたものである。
【０００９】
上記請求項１または２の発明によれば、アルミニウム箔を含まないので、廃棄物に係わる環境問題の危惧がなく、かつ金属探知機による検査が可能にしたものである。さらに、開封に際し、まず外周縁の剥離用タブを引っ張り上げると易剥離領域の両側にハーフカットによるミシン目もしくはそれと類似の切り目に沿って易剥離領域の表面シートが切れて剥離され、次いで他方の開封用タブを引っ張りあげ、その剥離された部分まで蓋材を剥がして折り曲げると、その剥離された部分が、シーラント層、基材フィルム層等でなる薄いフィルムのみとなるので、折り曲げられたままの状態を維持できる性質、即ちデットホールド性を有し、さらに再封に際し、折り曲げられた部分を元に戻すと、この部分に紙層がないのでカールが無くなり平坦な状態に戻り易くなる所謂再封性にも優れる即席食品用容器の蓋材とすることができる。
【００１０】
また、請求項３の発明では、前記剥離用タブの基部の複合シートにハーフカットによる溝を刻設し、該刻設されたハーフカットによる溝が前記ミシン目もしくはそれと類似の切り目と交差していることを特徴とする請求項１または２記載の即席食品用容器の蓋材としたものである。
【００１１】
上記請求項３の発明によれば、開封前の易剥離領域の剥離に際し、その剥離用タブを一旦手前側に折り曲げてから引っ張りあげると、複合シートに刻設されたハーフカット溝がきっかけとなり、この溝と交差している表面シートのミシン目等から切断し易くなるので、易剥離領域における表面シートの剥離を容易にかつ確実にすることができる。
【００１２】
【発明の実施の形態】
以下本発明の実施の形態を図面を用いて詳細に説明する。
本発明は、図１の斜視図に示すように、例えば上端の周縁にフランジ部（１２）を設けた開口部を有する容器本体（１０）の前記開口部を密封するための即席食品用容器の蓋材（２０）に関するものであって、その蓋材（２０）は、アルミニウム箔を含まない積層体で、その外周縁に剥離用タブ（２２ａ）と開封用タブ（２２ｂ）を有し、これら両タブ（２２ａ、２２ｂ）は中心より略９０°の位置に設けられていて、その一方の剥離用タブ（２２ａ）は、表面シートに刻設されているミシン目（３２）を切断し表面シートを剥離するためのもので、他方の開封用タブ（２２ｂ）は、即席食品用容器の蓋材（２０）をフランジ部（１２）から剥離し開封するためのものであり、容器本体（１０）のフランジ部（１２）にヒートシール等でシールされ、密封されているものである。
【００１３】
上記本発明の即席食品用容器の蓋材（２０）は、まず図２の正面図に示すように、中心より４５°方向に延びる外周縁に剥離用タブ（２２ａ）と開封用タブ（２２ｂ）を有し、中央に前記の剥離用タブ（２２ａ）の基部（４８）に近い幅の領域に易剥離剤の塗布でなる易剥離領域（Ｌ１）とこの易剥離領域（Ｌ１）以外の接着領域（Ｌ２）とに区画されて表面の表面シートと内面の複合シートが互いに積層接着されていて、前記表面シートの易剥離領域（Ｌ１）と接着領域（Ｌ２）との２本の境界線（２６）よりやや易剥離領域（Ｌ１）内に、それぞれ複数本（図面では２本づつ）のハーフカットによるミシン目（３２）を刻設してなるものである。
【００１４】
さらに上記本発明の即席食品用容器の蓋材（２０）は、アルミニウム箔を含まない積層体でなり、この積層体は、図２のＢ−Ｂ面断面図として図３に示すように、例えば表面の表面シート（３０）と内面の複合シート（４０）が、中央に剥離用タブの基部の幅近傍の領域に易剥離剤を塗布することにより形成された易剥離層（５０）による易剥離領域（Ｌ１）とこの易剥離領域（Ｌ１）の両側に表面シート（３０）と複合シート（４０）が接着する接着領域（Ｌ２）とに区画されて互いに積層接着され、この表面シート（３０）の易剥離領域（Ｌ１）と接着領域（Ｌ２）の境界線（２６）よりやや易剥離領域（Ｌ１）内にハーフカットによるミシン目（３２）を刻設してなるものである。
【００１５】
上記事例ではミシン目（３２）を、それぞれ２本づつとしてあるが、特にその本数を限定するものではない。しかし例えば３〜４本づつ位とした方が切断しようとする線から外れて破れることがなく、直線的に切断され易くなるので好ましい本数である。また、このミシン目（３２）と類似の切れ目でもよく、例えば剥離用タブ（２２ａ）側から見て直線的に多数のハの字で形成される所謂ハの字切れ目（図示せず）とすることもできる。
【００１６】
また、本発明では、図３に示すように、例えば前記表面シート（３０）は紙層でなり、複合シート（４０）は、内面側から容器のフランジ部にシール適性のあるシーラント層（４２）、基材フィルム層（４４）、印刷インキなどによる遮光層（４６）、表面シート（３０）との接着性を持たせるための接着熱可塑性樹脂層（４５）の順に積層されている即席食品用容器の蓋材（２０）である。
【００１７】
また複合シート（４０）の層構成は、内面側からシーラント層（４２）、印刷インキなどによる遮光層（４６）、基材フィルム層（４４）、接着熱可塑性樹脂層（４５）、印刷インキなどによる遮光層（４６）の順とし、遮光層（４６）を外側すなわち表面シート（３０）側に施してもよく、遮光を必要としない内容物の場合は、この遮光層（４６）がない構成であっても構わない。
【００１８】
また、本発明では、図４の裏面拡大図に示すように、剥離用タブ（２２ａ）の基部（２４）の複合シート面にハーフカット溝（４８）を刻設し、この刻設されたハーフカット溝（４８）が、表面シートに刻設されたミシン目（３２）と直交するようにしたものである。
【００１９】
以上のような本発明の即席食品用容器の蓋材の開封は、例えば図５の斜視図に示すように、まず帯状の易剥離領域（Ｌ１）の先端の剥離用ノブ（２２ａ）をつまみ、その裏面の基部に施されているハーフカット溝（４８）で手前に折り曲げ、続いてこのハーフカット溝（４８）をきっかけとしてミシン目（３２）に沿って破りながら易剥離領域（Ｌ1 ）の易剥離層（５０）から剥離して、剥離用ノブ（２２ａ）ごと易剥離領域（Ｌ1 ）の表面シート（３０）を取り去る。その結果、易剥離領域（Ｌ1 ）の表面シート（３０）が取り去られた部分は、薄い複合シート（４０）のみとなる。
【００２０】
続いて、図６の側断面図に示すように、もう一方のノブつまり開封用ノブ（２２ｂ）を引っ張り上げながら中央の帯状の易剥離領域で表面シート（３０）が剥離除去された部分まで容器フランジ部（１２）より剥離し、その剥離除去された部分の複合シート（４０）から折り曲げて開封が完了する。このように易剥離領域の表面シート（３０）が剥離除去された部分の複合シート（１０）は薄いフィルムのみでなるのでデットホールド性に優れたような状態となり、よって折り曲げられたままの状態を保持できるようになる。このように折り曲げられた状態で容易に安全に熱湯等を容器内に注ぐことができる。
【００２１】
また、本発明の即席食品用容器の蓋材の再封は、図７の斜視図に示すように、折り曲げられた易剥離領域内の帯状の複合シート（４０）のみの部分を元の平坦な状態に戻すと、この部分に表面シート（３０）としての紙層がないので熱湯によるカール等もなく自然に平坦な状態となり、この状態を維持できる再封性に優れるので、麺等を温めほぐすために、蓋の上に重し等を乗せずに済む蓋材とすることができる。
【００２２】
以下に本発明の即席食品用容器の蓋材（２０）の材料等を説明する。
まず本発明の即席食品用容器の蓋材（２０）を構成する表面シート（３０）としては、紙層でなり、少なくとも表面が白色で多色印刷適性を有するものが好ましく、例えば坪量５０ｇ／ｍ2 〜１２０ｇ／ｍ2 程度の両アート紙、片アート紙あるいは両面コート紙、片面コート紙などを好適に使用することができ、場合によっては合成紙であってもよい。
【００２３】
また、本発明の即席食品用容器の蓋材（２０）の複合シート（４０）を構成するシーラント層（４２）としては、例えばヒートシール性に優れる直鎖低密度ポリエチレン（ＬＬＤＰＥ）、低密度ポリエチレン（ＬＤＰＥ）、高密度ポリエチレン（ＨＤＰＥ）、無延伸ポリプロピレン（ＣＰＰ）等のポリオレフィン樹脂あるいはエチレン／酢酸ビニル共重合体（ＥＶＡ）、エチレン／アクリル酸共重合体（ＥＡＡ）、エチレン／メタアクリル酸共重合体（ＥＭＡＡ）等エチレン共重合樹脂のフィルムが好適に用いられ、さらにこれらポリオレフィン樹脂にポリスチレンやポリブデン等からなる、ポリオレフィン樹脂に対し不相溶性成分を混合したものとすることもできる。また、エチレン／酢酸ビニル共重合樹脂、エチレン／アクリル酸共重合樹脂等からなるホットメルト接着剤を塗布量１５〜２５ｇ／ｍ2 程度で設けてもよく、これらシーラント層（４２）によって容器本体（１０）のフランジ部（１２）との十分な密封性と剥離開封性を可能とすることができる。
【００２４】
また、本発明の即席食品用容器の蓋材（２０）の複合シート（４０）を構成する基材フィルム（４４）としては、例えば厚さ６〜１６μｍのポリエチレンテレフタレート（ＰＥＴ）フィルム、厚さ１５〜２５μｍの二軸延伸ポリエチレン（０ＰＥ）フィルム、二軸延伸ナイロン（ＯＮｙ）フィルム、厚さ１０〜２５μｍの二軸延伸ポリプロピレン（ＯＰＰ）フィルムなどの比較的薄く腰のないフィルムが挙げられ、サイズや内容物等によって適宜選定することができる。
【００２５】
さらにまた、本発明の即席食品用容器の蓋材（２０）の複合シート（４０）を構成する接着熱可塑性樹脂層（４５）としては、例えば熱溶融された直鎖低密度ポリエチレン（ＬＬＤＰＥ）、低密度ポリエチレン（ＬＤＰＥ）とエチレン／メタアクリル酸共重合樹脂（ＥＭＡＡ）の混合樹脂等を厚さ１３〜２５μｍに押出してラミネート層としたものがなど挙げられる。
【００２６】
また、必要に応じて設けられる遮光層（４６）としては、カーボン入りのインキでもよいが、前記基材フィルム（４４）と接着熱可塑性樹脂層（４５）とを接着させる目的からエチレン／メタアクリル酸共重合樹脂（ＥＭＡＡ）やウレタン等のアンカーコート剤を混合したものとすることもでき、グラビア法等で塗布して得られる。
【００２７】
さらに、本発明の即席食品用容器の蓋材（２０）を構成する易剥離層（５０）としては、例えばニトロセルロース（硝化綿）系樹脂、ウレタン系樹脂、ポリアミド樹脂あるいはこれら樹脂の混合物を主体とし、これらにポリエチレンワックスやシリコン等を相溶性を考慮して混合したものなどが挙げられ、これらを剥離ニスとしてグラビア法あるいはスクリーン法等にて易剥離領域（Ｌ１）に部分塗布して得ることができる。
【００２８】
【実施例】
次に実施例により、本発明を具体的に説明する。
〈実施例１〉
図３の側断面図に示すように、表面シート（３０）として、表面に絵柄等が印刷された坪量８０ｇ／ｍ2 の片面コート紙を用い、その裏面に、ニトロセルロース５０重量部にポリエチレンワックス５０重量部をブレンドした易剥離剤を幅２５ｍｍの帯状の易剥離領域（Ｌ１）に塗布乾燥して易剥離層（５０）を形成した。
【００２９】
一方で基材フィルム（４４）として厚さ１２μｍのポリエチレンテレフタレート（ＰＥＴ）フィルムを用い、その片面にウレタン系のアンカーコート剤を介して厚さ２０μｍの低密度ポリエチレン（ＬＤＰＥ）フィルムをラミネートし、もう一方の片面にカーボン入りアンカーコート剤を遮光層（４６）として塗布乾燥し、この遮光層（４６）面と、上記で得た表面シート（３０）の易剥離層（４５）面との間に熱溶融された低密度ポリエチレン（ＬＤＰＥ）５０重量部とエチレン／メタアクリル酸共重合樹脂（ＥＭＡＡ）５０重量部のブレンド樹脂を厚さ２０μｍの接着熱可塑性樹脂層（４５）として押し出してラミネートし、即席食品用容器の蓋材のための積層体を得た。
【００３０】
続いて図２に示すように、上記で得られた積層体の易剥離領域（Ｌ１）内両側に、それぞれ４本のミシン目（３２）を表面シートに施し、その帯状の易剥離領域（Ｌ１）方向の周縁先端に剥離用ノブ（２２ａ）とその帯状の易剥離領域（Ｌ１）と直交する方向の周縁に開封用ノブ（２２ｂ）と、該剥離用ノブ（２２ａ）の基部（２４）裏面で、複合シートにハーフカット溝（図示せず）を施した直径１００ｍｍの即席食品用容器の蓋材（２０）を得た。
【００３１】
上記で得られた即席食品用容器の蓋材（２０）を紙カップのフランジ部にヒートシールして密封し、即席麺カップの資料を作製した。この資料の開封に際するデッドホールド性（熱湯の注ぎ易さ）は、図６に示すように、開封用ノブ（２２ｂ）を引っ張り上げながらカップのフランジ部（１２）から剥離して、中央の易剥離領域で表面シート（３０）が切断され除去された部分で折り曲げられるとそのままの状態を維持するもので、熱湯の注ぎ易いものであった。またその再封性（熱湯を注いだ後、麺を温め軟らかくする待ち時間の再封のし易さ）は、図７に示すように、表面シート（３０）が切断され除去された部分では薄い樹脂フィルムのみでできているので熱（熱湯）によるカールがないので元の平坦な状態に戻すとそのままの状態を維持するもので、特に重しなどを必要としない所謂再封性に優れるものであった。
【００３２】
【発明の効果】
本発明は以上の構成であるから、下記に示す如き効果がある。
即ち、本発明の即席食品用容器の蓋材は、紙層でなる表面シートと各種合成樹脂類のフィルムでなる複合シートの積層体でなり、アルミニウム箔を含まないので、廃棄物に係わる環境問題の負荷が軽減され、かつ金属探知機による製品検査を可能にすることができ、さらに、この蓋材の開封に際し、剥離用タブより表面シートの帯状の易剥離領域を切断剥離してこの部分を薄い樹脂フィルム（複合シート）のみとすると、開封用タブより容器からの剥離開封に際し、この薄い樹脂フィルムのみの部分が曲げられたままの状態を維持する所謂デッドホールド性に優れ、また再封に際し、折り曲げられた部分を元の平坦な状態に戻すと、そのままの状態を維持する所謂再封性に優れる即席食品用容器の蓋材とすることができる。
【００３３】
また、剥離用タブの基部で、その裏面即ち複合シートにハーフカット溝を設けることによって、易剥離領域での剥離に際し、このハーフカット溝がきっかけとなり、この溝と交差しているミシン目等からより確実に切断し易くすることができる。
【００３４】
従って本発明は、即席麺、即席スープ等の容器の蓋材において、環境問題の負荷が少なくかつ製品検査に金属探知機が使用でき、アルミニウム箔が介在しなくともデッドホールド性と再封性にも優れる即席食品用容器の蓋材として、優れた実用上の効果を発揮する。
【図面の簡単な説明】
【図１】本発明の即席食品用容器の蓋材が適用される一実施の形態を説明する斜視図である。
【図２】本発明の即席食品用容器の蓋材の一実施の形態を示すもので、その正面図である。
【図３】本発明の即席食品用容器の蓋材の一実施の形態を示すもので、その側断面図である。
【図４】本発明の即席食品用容器の蓋材の一実施の形態を示すもので、その裏面拡大図である。
【図５】本発明の即席食品用容器の蓋材の開封前の剥離状態の一実施の形態を示す斜視図である。
【図６】本発明の即席食品用容器の蓋材の開封状態とデッドホールド性の一実施の形態を示す側断面図である。
【図７】本発明の即席食品用容器の蓋材の再封状態と再封性の一実施の形態を示す側断面図である。
【符号の説明】
１０‥‥容器本体
１２‥‥フランジ部
２０‥‥即席食品用容器の蓋材
２２ａ‥‥剥離用タブ
２２ｂ‥‥開封用タブ
２４‥‥開封用タブの基部
２６‥‥境界線
３０‥‥表面シート
３２‥‥ミシン目
４０‥‥複合シート
４２‥‥シーラント層
４４‥‥基材フィルム層
４５‥‥接着熱可塑性樹脂層
４６‥‥遮光層
４８‥‥ハーフカット溝
Ｌ１‥‥易剥離領域
Ｌ２‥‥接着領域
【図１】
0004491930.tif 000002
【図２】
0004491930.tif 000003
【図３】
0004491930.tif 000004
【図４】
0004491930.tif 000005
【図５】
0004491930.tif 000006
【図６】
0004491930.tif 000007
【図７】
0004491930.tif 000008